(57)【要約】【課題】ゴミ袋は簡単に圧縮してコンパクトに収納することができるゴミ収納具を提供すること。【解決手段】ゴミ収納具１は、一対の端部１１ａを有する略コの字形状の第１枠体１１と、第１枠体１１の一対の端部１１ａが回動可能に取り付けられる一対の角部１２ａを有する略矩形状の第２枠体１２と、第１枠体１１内、第２枠体１２内及び第１枠体１１と第２枠体１２との間に張られたネット１３とから主に構成されている。第１枠体１１及び第２枠体１２は、相対的に開閉可能であり、開いた状態でゴミの投入が可能であり、閉じた状態で両者間にゴミを収納する。【選択図】図１
2006219247.tif 000002
【特許請求の範囲】
【請求項１】
一対の端部を有する略コの字形状の少なくとも一つの第１枠体と、前記少なくとも一つの第１枠体の前記一対の端部が回動可能に取り付けられる一対の角部を有する略矩形状の第２枠体と、前記第１枠体内、前記第２枠体内及び前記第１枠体と前記第２枠体との間に張られたネットと、を具備し、前記第１及び第２枠体は、前記一対の角部間を回動軸として相対的に開閉可能であり、開いた状態でゴミの投入が可能であり、閉じた状態で両者間にゴミを収納することを特徴とするゴミ収納具。
【請求項２】
前記第１又は第２枠体に係合する係合部材が前記第１又は第２枠体に設けられていることを特徴とする請求項１記載のゴミ収納具。
【請求項３】
前記係合部材は、前記第１又は第２枠体の一方に取り付けられ、他方の枠体を挟み込んで係合する部材であることを特徴とする請求項２記載のゴミ収納具。
【請求項４】
前記係合部材は、前記第１又は第２枠体の一方に取り付けられ、他方の枠体に引っかけて係合する部材であることを特徴とする請求項２記載のゴミ収納具。
【請求項５】
前記第１及び第２枠体に、両者を閉じる方向に付勢する弾性部材が取り付けられていることを特徴とする請求項１記載のゴミ収納具。
【請求項６】
前記第１又は第２枠体に取り付けられ、前記第１又は第２枠体を立てた状態で支持する支持部材を有することを特徴とする請求項１から請求項５のいずれかに記載のゴミ収納具。
【請求項７】
前記第１又は第２枠体の一方に張られたネットの張力が他方に張られたネットの張力よりも大きいことを特徴とする請求項１から請求項６のいずれかに記載のゴミ収納具。
【請求項８】
第１の一対の端部を有する略コの字形状の第１枠体と、前記第１の一対の端部と回動可能に取り付けられる第２の一対の端部を有する略コの字形状の第２枠体と、前記第１枠体内及び前記第２枠体内に張られた袋状のネットと、を具備し、前記第１及び第２枠体は、前記第１の一対の端部が第２の一対の端部に相対的に取り付けられた部分を回動点として相対的に開閉可能であり、開いた状態でゴミの投入が可能であり、閉じた状態で両者間にゴミを収納することを特徴とするゴミ収納具。
【請求項９】
前記第１及び第２枠体を閉じた際に当接する前記第１又は第２枠体に、他の部材に取り付け可能な取付部材が設けられていることを特徴とする請求項１から請求項８のいずれかに記載のゴミ収納具。
【発明の詳細な説明】
【技術分野】
【０００１】
本発明はゴミ収納具に関し、特にゴミ袋などを圧縮してコンパクトに収納するゴミ収納具に関する。
【背景技術】
【０００２】
従来からゴミ袋を収集する場所は地域で決められているが、そのゴミ収集場所に単にまとめて置かれるために、乱雑になることが多く、このような状態を放置すると、ゴミ袋をカラスなどが破ってゴミを散乱させたりして大変不衛生になり、しかも歩行者の通行の妨げになったりするという問題がある。
【発明の開示】
【発明が解決しようとする課題】
【０００３】
本発明はかかる点に鑑みてなされたものであり、ゴミ袋は簡単に圧縮してコンパクトに収納することができるゴミ収納具を提供することを目的とする。
【課題を解決するための手段】
【０００４】
本発明のゴミ収納具は、一対の端部を有する略コの字形状の少なくとも一つの第１枠体と、前記少なくとも一つの第１枠体の前記一対の端部が回動可能に取り付けられる一対の角部を有する略矩形状の第２枠体と、前記第１枠体内、前記第２枠体内及び前記第１枠体と前記第２枠体との間に張られたネットと、を具備し、前記第１及び第２枠体は、前記一対の角部間を回動軸として相対的に開閉可能であり、開いた状態でゴミの投入が可能であり、閉じた状態で両者間にゴミを収納することを特徴とする。
【０００５】
この構成によれば、ゴミ袋をコンパクトに収納することができるので、ゴミ袋の散乱などを防止することができる。この場合、ゴミ袋はネットの弾性により圧縮されるので、ゴミ収納具にゴミ袋が満杯であっても占有する領域が小さくて済む。また、このゴミ収納具は、閉じた状態ではほとんど場所をとらないので通行などの邪魔にならず、組み立てが容易であるので、持ち運びも楽である。さらに、開閉を簡単に行うことができるので、清掃が楽であると共に、ゴミ回収作業員の負荷を軽減することができる。また、ネットには通気性があるので衛生的である。
【０００６】
本発明のゴミ収納具においては、前記第１又は第２枠体に係合する係合部材が前記第１又は第２枠体に設けられていることが好ましい。この構成によれば、第１枠体と第２枠体を結合することができ、ゴミ収納具内に収納されたゴミ袋をネットにより圧縮することができる。その結果、ゴミ収納具をコンパクトにすることができる。この場合において、前記係合部材は、前記第１又は第２枠体の一方に取り付けられ、他方の枠体を挟み込んで係合する部材であることが好ましい。また、前記係合部材は、前記第１又は第２枠体の一方に取り付けられ、他方の枠体に引っかけて係合する部材であることが好ましい。
【０００７】
本発明のゴミ収納具においては、前記第１及び第２枠体に、両者を閉じる方向に付勢する弾性部材が取り付けられていることが好ましい。この構成によれば、係合部材を用いることなく、第１枠体と第２枠体とを閉じてゴミ収納具内にゴミ袋を収納することが可能となる。
【０００８】
本発明のゴミ収納具においては、前記第１又は第２枠体に取り付けられ、前記第１又は第２枠体を立てた状態で支持する支持部材を有することが好ましい。この構成によれば、他の部材への取り付け作業が不要となり、ゴミ収納具の敷設負荷を軽減することができる。
【０００９】
本発明のゴミ収納具においては、前記第１又は第２枠体の一方に張られたネットの張力が他方に張られたネットの張力よりも大きいことが好ましい。この構成によれば、ゴミ収納具に収納したゴミ袋を効率良く圧縮することができる。
【００１０】
本発明のゴミ収納具は、第１の一対の端部を有する略コの字形状の第１枠体と、前記第１の一対の端部と回動可能に取り付けられる第２の一対の端部を有する略コの字形状の第２枠体と、前記第１枠体内及び前記第２枠体内に張られた袋状のネットと、を具備し、前記第１及び第２枠体は、前記第１の一対の端部が第２の一対の端部に相対的に取り付けられた部分を回動点として相対的に開閉可能であり、開いた状態でゴミの投入が可能であり、閉じた状態で両者間にゴミを収納することを特徴とする。
【００１１】
本発明のゴミ収納具においては、前記第１及び第２枠体を閉じた際に当接する前記第１又は第２枠体に、他の部材に取り付け可能な取付部材が設けられていることが好ましい。
【発明の効果】
【００１２】
本発明のゴミ収納具は、一対の端部を有する略コの字形状の少なくとも一つの第１枠体と、前記少なくとも一つの第１枠体の前記一対の端部が回動可能に取り付けられる一対の角部を有する略矩形状の第２枠体と、前記第１枠体内、前記第２枠体内及び前記第１枠体と前記第２枠体との間に張られたネットと、を具備し、前記第１及び第２枠体は、前記一対の角部間を回動軸として相対的に開閉可能であり、開いた状態でゴミの投入が可能であり、閉じた状態で両者間にゴミを収納するので、ゴミ袋は簡単に圧縮してコンパクトに収納することができる。
【発明を実施するための最良の形態】
【００１３】
以下、本発明の実施の形態について、添付図面を参照して詳細に説明する。
（実施の形態１）
図１（ａ）は、本発明の実施の形態１に係るゴミ収納具の構成を示す斜視図である。ゴミ収納具１は、一対の端部１１ａを有する略コの字形状の第１枠体１１と、第１枠体１１の一対の端部１１ａが回動可能に取り付けられる一対の角部１２ａを有する略矩形状の第２枠体１２と、第１枠体１１内、第２枠体１２内及び第１枠体１１と第２枠体１２との間に張られたネット１３とから主に構成されている。
【００１４】
第１枠体１１は、例えばパイプのような管状体で構成されており、互いに略平行である可動部１１ｂ，１１ｃと、両可動部１１ｂ，１１ｃを繋ぐ連接部１１ｄとを有する。したがって、それぞれの可動部１１ｂ，１１ｃは、連接部１１ｄと反対側に端部１１ａを有する。連接部１１ｄの略中央部には、取っ手１４が取り付けられている。取っ手１４が取り付けられていることにより、第１枠体１１の開閉を容易に行うことができる。
【００１５】
第２枠体１２は、例えばパイプのような管状体で構成されており、第１枠体１１の端部１１ａが取り付けられる角部１２ａを有する回動軸部１２ｂと、回動軸部１２ｂの両端（角部１２ａ）に連接し、互いに略平行である固定部１２ｃ，１２ｄと、固定部１２ｃ，１２ｄと連接して固定部１２ｃ，１２ｄを繋ぐ連接部１２ｅとを有する。回動軸部１２ｂと連接部１２ｅとは互いに略平行である。連接部１２ｅには、他の部材、例えば壁、垣根、ガードレール、樹木、電柱などに取り付け可能な取付部材である２つの取付具１５が取り付けられている。この取付具１５には、穴１５ａが形成されており、さらにこの穴１５ａにリング体１６が挿通されており、このリング体１６に壁に取り付けられたフック１７を引っかけることにより、ゴミ収納具１を壁に取り付けることが可能となる。なお、取付部材の形状、数、取付構造については、これに限定されず、他の形状、数、取付構造を用いても良い。また、連接部１２ｅの略中央部には、係合部材１８が取り付けられている。係合部材１８を取り付けることにより、第１枠体１１の連接部１１ｄと第２枠体１２の連接部１２ｅを結合することができ、ゴミ収納具１内に収納されたゴミ袋をネット１３により圧縮することができる。その結果、ゴミ収納具１をコンパクトにすることができ、ゴミ収納具１を道路に面する壁に取り付けても、通行の邪魔になることを防止できる。
【００１６】
係合部材１８は、図１（ｃ）に示すように、第２枠体１２の連接部１２ｅに取り付けられ、第１枠体１１及び第２枠体１２を閉じたときに、を第１枠体１１の連接部１１ｄを挟み込んで係合する係合クリップ１８ａである。図１（ｃ）に示す係合クリップ１８ａは、例えば、金属板を加工して構成され、第２枠体１２の連接部１２ｅ側に取り付けられ、第１枠体１１の連接部１１ｄの径よりも僅かに大きい径を有する円弧部１８ｃと、円弧部１８ｃと連接すると共に第１枠体１１側に開口し、第１枠体１１の連接部１１ｄの径よりも小さい径を有する縮径部１８ｄとを有する。したがって、係合クリップ１８ａが第１枠体１１の連接部１１ｄに係合する際には、まず縮径部１８ｄの先端が連接部１１ｄに当接する。この状態で第１枠体１１を第２枠体１２の方に押圧すると（第１枠体１１を閉じると）、連背粒１１ｄが縮径部１８ｄの開口部分に入り込むことにより縮径部１１ｄが押し広げられ、さらに連接部１１ｄが係合クリップ１８ａの奥に入って円弧部１８ｃに連接部１１ｄが係合する。
【００１７】
係合部材１８は、図１（ｄ）に示すように、第２枠体１２の連接部１２ｅに取り付けられ、第１枠体１１及び第２枠体１２を閉じたときに、第１枠体１１の連接部１１ｄに引っかけて係合する係合金具１８ｂであっても良い。図１（ｄ）に示す係合金具１８ｂは、例えば、金属板を加工して構成され、第２枠体１２の連接部１２ｅを囲繞するように回動可能に取り付けられ、第２枠体１２の連接部１２ｅの径よりも僅かに大きい径を有する囲繞部１８ｅと、囲繞部１８ｅと連接すると共に第１枠体１１の連接部１１ｄの径よりも僅かに大きい径を有する円弧部１８ｆと、円弧部１８ｆに連接する取っ手部１８ｇとを有する。したがって、係合金具１８ｂが第１枠体１１の連接部１１ｄに係合する際には、取っ手部１８ｇを持って係合金具１８ｂを上方に持ち上げると、第２枠体１２の連接部１２ｅを回動軸として係合金具１８ｂが回動する。そして、第１枠体１１を引き寄せて取っ手部１８ｇを下ろすことにより、円弧部１８ｆが第１枠体１１の連接部１１ｄに被さって係合する。
【００１８】
また、係合部材１８の代わりに、あるいは係合部材１８と組み合わせて、磁石などの結合手段を取り付けても良い。すなわち、第１枠体１１及び／又は第２枠体１２を金属で構成しておき、両枠体１１，１２の連接部１１ｄ，１２ｅの両方あるいはいずれか一方に、磁石を取り付けておき、その磁性による引力を用いて両連接部１１ｄ，１２ｅを結合するようにしても良い。このように磁石などによる結合手段を用いることにより、より第１枠体１１と第２枠体１２とを確実に結合することができ、ゴミ収納具１内に収納されたゴミ袋をより効率良く圧縮することが可能となる。
【００１９】
第１枠体１１の端部１１ａは、第２枠体１２の角部１２ａの外側に配置され、端部１１ａが角部１２ａに回動可能に取り付けられている。例えば、角部１２ａにねじ穴を形成し、端部１１ａにねじ穴よりも大きい穴を形成し、角部１２ａと端部１１ａとをねじ穴と穴とが位置合わせされるようにして組み合わせ、ねじを穴を通してねじ穴に螺合することにより第１枠体１１を第２枠体１２に回動可能に取り付ける。このように第１枠体１１を第２枠体１２に回動可能に取り付けることにより、第１枠体１１を第２枠体１２に対して回動軸部１２ｂ（角部１２ａ間）を中心に開閉させることが可能となる。
【００２０】
第１枠体１１内、すなわち第１枠体１１の可動部１１ｂ，１１ｃ、連接部１１ｄ及び第２枠体１２の回動軸部１２ｂにより囲まれる領域と、第２枠体１２内、すなわち、第２枠体１２の回動軸部１２ｂ、固定部１２ｃ，１２ｄ及び連接部１２ｅにより囲まれた領域と、第１枠体１１と第２枠体１２との間、すなわち第１枠体１１の可動部１１ｂと第２枠体１２の固定部１２ｃとの間の領域及び第１枠体１１の可動部１１ｃと第２枠体１２の固定部１２ｄとの間の領域とには、ネット１３が張られている。このネット１３は、伸び縮みする弾性を有する布やゴムで構成されたネットを用いることができる。ネット１３の網目の大きさについては、収納するゴミ袋よりも小さいことが好ましい。このようなネット１３を張ることにより、ゴミ収納具１を道路に面する壁に取り付けたときに自転車などがぶつかっても、その衝撃を吸収することができる。また、第２枠体１２に張られたネット１３の張力が第１枠体１１に張られたネット１３の張力よりも小さく設定されている。このように、開閉する枠体である第１枠体１１のネット１３に弾性を持たせることにより、ゴミ収納具１に収納したゴミ袋を効率良く圧縮することができる。
【００２１】
第１枠体１１及び第２枠体１２には、夜間でも存在を認識することができるように、蛍光塗料などを塗布したり、蛍光テープを貼付しておくことが望ましい。また、開閉動作する枠体、ここでは第１枠体１１のネット１３には、広告１９などを付すことにより、種々の情報を提供することができる。この広告１９としては、安全のために、柔らかい材料を用いることが好ましい。
【００２２】
なお、本実施の形態においては、取付具１５及び係合部材１８を第２枠体１２の連接部１２ｅに取り付け、取っ手１４を第１枠体１１の連接部１１ｄに取り付けた場合について説明しているが、取っ手１４、取付具１５及び係合部材１８は、第１枠体１１又は第２枠体１２のいずれかが他の部材に取り付けられ、かつ、第１枠体１１と第２枠体１２とが相対的に開閉できる構成であれば、第１枠体１１の連接部１１ｄ又は第２枠体１２の連接部１２ｅのいずれに設けても良い。
【００２３】
また、このようなゴミ収納具１は、組立・解体が可能になっている。例えば、取付具１５及び係合部材１８を取り付けた第２枠体１２の連接部１２ｅと、取っ手１４を取り付けた第１枠体１１の連接部１１ｄと、回動可能に取り付けられた第１枠体１１の可動部１１ｂ，１１ｃ及び第２枠体１２の固定部１２ｃ，１２ｄ（Ｖ字管状体）と、第２枠体１２の回動軸部１２ｂと、Ｖ字管状体と回動軸部１２ｂとを繋ぐねじと、ネット１３と、からなる部品を用いて組立・解体を行うことが可能である。なお、部品構成については、これに限定されず、種々変更して実施することが可能である。
【００２４】
上記構成を有するゴミ収納具１にゴミ袋を入れる場合、まず、第２枠体１２の連接部１２ｅの係合部材１８で係合されている第１枠体１１の連接部１１ｄを外す。具体的には、第１枠体１１の連接部１１ｄが第２枠体１２の連接部１２ｅから離れる方向に、第１枠体１１の連接部１１ｄの取っ手１４を引っ張ることにより、係合部材１８が連接部１１ｄから外れる。このとき、第１枠体１１は、端部１１ａを回動中心として回動する。さらに、連接部１１ｄの取っ手１４を引っ張ると、第１枠体１１が端部１１ａを中心に回動して、図１（ａ）に示すような開いた状態となる。第１枠体１１は、第１枠体１１と第２枠体１２との間に張られたネット１３が完全に開いた位置まで開くことになる。そして、第１枠体１１の連接部１１ｄと第２枠体１２の連接部１２ｅとの間の開口からゴミ袋２０を投入する。その後、連接部１１ｄの取っ手１４を持って、第１枠体１１の連接部１１ｄを第２枠体１２の連接部１２ｅに近づける。このとき、第１枠体１１は、端部１１ａを回動中心として回動する。さらに、連接部１１ｄの取っ手１４を第２枠体１２の連接部１２ｅに近づけて、第１枠体１１の連接部１１ｄを係合部材１８に係合させると、図１（ｂ）に示すような閉じた状態となる。このとき、ゴミ袋２０は、第１枠体１１に張られたネット１３により内側に押圧されて、ネット１３の弾性により圧縮される。このように、ゴミ収納具１にゴミ袋が収納される。
【００２５】
本実施の形態に係るゴミ収納具は、ゴミ袋をコンパクトに収納することができるので、ゴミ袋の散乱などを防止することができる。この場合、ゴミ袋はネットの弾性により圧縮されるので、ゴミ収納具にゴミ袋が満杯であっても占有する領域が小さくて済む。また、このゴミ収納具は、閉じた状態ではほとんど場所をとらないので通行などの邪魔にならず、組み立てが容易であるので、持ち運びも楽である。さらに、開閉を簡単に行うことができるので、清掃が楽であると共に、ゴミ回収作業員の負荷を軽減することができる。また、ネットには通気性があるので衛生的である。
【００２６】
（実施の形態２）
図２（ａ）は、本発明の実施の形態２に係るゴミ収納具の構成を示す正面図であり、図２（ｂ）は、本発明の実施の形態２に係るゴミ収納具の構成を示す側面図である。図２において図１と同じ部分については図１と同じ符号を付してその詳細な説明は省略する。
【００２７】
図２に示すゴミ収納具２においては、取付具１５を設ける代わりに、第１枠体１１及び第２枠体１２を立てた状態で支持する支持部材２１が取り付けられている。これにより、他の部材への取り付け作業が不要となり、ゴミ収納具２の敷設負荷を軽減することができる。ここでは、図２（ｂ）に示すように、支持部材２１は、基台２１ａと、基台２１ａ上に立設された支持板２１ｂとから構成されており、支持板２１ｂが第２枠体１２の固定部１２ｃ，１２ｄにねじ止めされている。
【００２８】
第１枠体１１と第２枠体１２には、図２（ａ）に示すように、両者を閉じる方向に付勢する弾性部材２２が取り付けられている。弾性部材２２としては、布ネット、ゴム、プラスティックばね、金属ばねなどを用いることができる。弾性部材２２の配置箇所及び数については、特に制限はない。これにより、係合部材を用いることなく、第１枠体１１と第２枠体１２とを閉じてゴミ収納具２内にゴミ袋を収納することが可能となる。
【００２９】
上記構成を有するゴミ収納具２にゴミ袋を入れる場合、第１枠体１１の連接部１１ｄが第２枠体１２の連接部１２ｅから離れる方向に、第１枠体１１の連接部１１ｄの取っ手１４を引っ張ることにより、弾性部材２２の付勢力に抗してゴミ収納具２は開いた状態となる。そして、第１枠体１１の連接部１１ｄと第２枠体１２の連接部１２ｅとの間の開口からゴミ袋２０を投入する。ゴミ袋２０を投入して取っ手１４から手を離すと、弾性部材２２の付勢力により第１枠体１１及び第２枠体１２は元の位置に復元する。すなわち、第１枠体１１の連接部１１ｄが第２枠体１２の連接部１２ｅに近づいて、ゴミ収納具２が閉じた状態となる。このとき、ゴミ袋２０は、第１枠体１１に張られたネット１３により内側に（図２（ｂ）の矢印方向に）押圧されて、ネット１３の弾性により圧縮される。このように、ゴミ収納具２にゴミ袋が収納される。
【００３０】
本実施の形態に係るゴミ収納具においても、ゴミ袋をコンパクトに収納することができるので、ゴミ袋の散乱などを防止することができる。この場合、ゴミ袋はネットの弾性により圧縮されるので、ゴミ収納具にゴミ袋が満杯であっても占有する領域が小さくて済む。また、このゴミ収納具は、閉じた状態ではほとんど場所をとらないので通行などの邪魔にならず、組み立てが容易であるので、持ち運びも楽である。さらに、開閉を簡単に行うことができるので、清掃が楽であると共に、ゴミ回収作業員の負荷を軽減することができる。また、ネットには通気性があるので衛生的である。
【００３１】
（実施の形態３）
図３（ａ）は、本発明の実施の形態３に係るゴミ収納具の開いた状態を示す図であり、図３（ｂ）は、本発明の実施の形態３に係るゴミ収納具の閉じた状態を示す図である。
【００３２】
図３に示すゴミ収納具３は、一対の端部を有する略コの字形状の第１枠体３１と、一対の端部を有する略コの字形状の第２枠体３２と、第１枠体３１内及び第２枠体３２内に張られた袋状のネット３８とから主に構成されている。第１枠体３１のそれぞれの端部は回動可能に取り付けられており、これにより第１枠体３１と第２枠体３２とは、第１枠体３１の端部と第２枠体３２の端部とが結合した部分を回動点として相対的に開閉可能である。
【００３３】
第２枠体３２の連接部３２ａの略中央部には、係合部材３４が取り付けられており、第１枠体１１の連接部３１ａの略中央部には、係合部材３４を挿通する穴部３６が形成されている。したがって、第１枠体３１の連接部３１ａと第２枠体３２の連接部３２ａを近づけて係合部材３４を穴部３６に通すことにより、第１枠体３１と第２枠体３２とが係合して閉じた状態となる。また、係合部材３４の両側には、２つの取付具３５が取り付けられている。この取付具３５に他の部材に取り付けられているフック３７を挿通することによりゴミ収納具３を他の部材に取り付けることができる。第１枠体３１内及び第２枠体３２内には、袋状のネット３８が張られている。
【００３４】
上記構成を有するゴミ収納具３にゴミ袋を入れる場合、まず、第２枠体３２の連接部３２ａの係合部材３４を第１枠体３１の連接部３１ａの穴部３６から外す。このとき、第１枠体３１及び第２枠体３２は、第１枠体３１の端部と第２枠体３２の端部とが結合した部分を回動中心として回動する。これにより、ゴミ収納具３は、図３（ａ）に示すような開いた状態となる。そして、第１枠体３１の連接部３１ａと第２枠体３２の連接部３２ａとの間の開口からゴミ袋を投入する。その後、第１枠体３１の連接部３１ａを第２枠体３２の連接部３２ａに近づける。このとき、第１枠体３１及び第２枠体３２は、端部結合部分を回動中心として回動する。そして、第１枠体３１の連接部３１ａの穴部３６に第２枠体３２の連接部３２ａの係合部材３４を係合させると、ゴミ収納具３は図３（ｂ）に示すような閉じた状態となる。このように、ゴミ収納具３にゴミ袋が収納される。
【００３５】
本実施の形態に係るゴミ収納具は、ゴミ袋をコンパクトに収納することができるので、ゴミ袋の散乱などを防止することができる。また、このゴミ収納具は、閉じた状態ではほとんど場所をとらないので通行などの邪魔にならず、組み立てが容易であるので、持ち運びも楽である。さらに、開閉を簡単に行うことができるので、清掃が楽であると共に、ゴミ回収作業員の負荷を軽減することができる。また、ネットには通気性があるので衛生的である。
【００３６】
（実施の形態４）
図４（ａ）は、本発明の実施の形態４に係るゴミ収納具の開いた状態を示す図であり、図４（ｂ）は、本発明の実施の形態４に係るゴミ収納具の閉じた状態を示す図であり、図５は、本発明の実施の形態４に係るゴミ収納具を示す側面図である。図４及び図５において図１と同じ部分については図１と同じ符号を付してその詳細な説明は省略する。
【００３７】
図４に示すゴミ収納具４は、第２枠体１２に対して開閉する第１枠体１１，４２，４３…を複数設けた構成を有する。そして、第２枠体１２と、第２枠体１２に最も近い第１枠体４２との間からゴミ袋の出し入れができるような開口を設け、その開口を塞ぐ蓋部材４１を設けている。したがって、ネット１３は、前記開口以外の領域をすべて覆うように張られている。
【００３８】
蓋部材４１は、蓋を折り畳めるようにするヒンジ部４１ａと、蓋部材４１の先端に取り付けられた取っ手部４１ｂとを有する。この蓋部材４１は、ヒンジ部４１ａにより第１枠体側の先端側が下方にのみ折り畳めるようになっている。反対に、蓋部材４１を開く場合には、蓋部材４１が一体として上方に開くようになっている。したがって、ゴミ収納具４を開くときには、図４（ａ）に示すように、蓋部材４１がヒンジ部４１ａで折れずに一体として持ち上げることができ、ゴミ収納具４を閉じるときには、図４（ｂ）に示すように、蓋部材４１がヒンジ部４１ａで折れて複数の第１枠体１１，４２，４３…をすべてまとめて引っ掛けることができるようになっている。
【００３９】
上記構成を有するゴミ収納具４にゴミ袋を入れる場合、まず、蓋部材４１の取っ手４１ｂを持って持ち上げる。これにより、ヒンジ部４１ａで折れていた蓋部材４１が一体に持ち上げられる。このとき、まとめられていた第１枠体１１，４２，４３が開いて図５に示すように広がる。そして、第２枠体１２と第１枠体４２との間の開口が現れる。これにより、ゴミ収納具４は、図４（ａ）に示すような開いた状態となる。そして、この開口からゴミ袋を投入する。その後、第１枠体１１の取っ手１４を持って持ち上げると、それぞれの枠体間が閉じていき、第１枠体１１，４２，４３がまとめられる。そして、蓋部材４１を下ろして、蓋部材４１はヒンジ部４１ａで折り、先端を一番外側の第１枠体の外側に引っ掛ける。これにより、ゴミ収納具４は図４（ｂ）に示すような閉じた状態となる。このように、ゴミ収納具４にゴミ袋が収納される。
【００４０】
本実施の形態に係るゴミ収納具は、ゴミ袋をコンパクトに収納することができるので、ゴミ袋の散乱などを防止することができる。特に、本実施の形態のゴミ収納具４は、大容量であるが、コンパクトにまとめることが可能である。また、このゴミ収納具は、閉じた状態ではほとんど場所をとらないので通行などの邪魔にならず、組み立てが容易であるので、持ち運びも楽である。さらに、開閉を簡単に行うことができるので、清掃が楽であると共に、ゴミ回収作業員の負荷を軽減することができる。また、ネットには通気性があるので衛生的である。
【００４１】
本発明は上記実施の形態１〜４に限定されず、種々変更して実施することが可能である。上記実施の形態１〜４で説明した構成は適宜組み合わせて実施することができる。また、上記実施の形態１〜４における構造、材料などについては、例示であり、本発明の目的の範囲を逸脱しない限りにおいて適宜変更して実施することが可能である。
【図面の簡単な説明】
【００４２】
【図１】（ａ）は、本発明の実施の形態１に係るゴミ収納具の構成を示す斜視図であり、（ｂ）は、本発明の実施の形態１に係るゴミ収納具の構成を示す側面図であり、（ｃ）及び（ｄ）は、本発明の実施の形態１に係るゴミ収納具の係合部を説明するための図である。
【図２】（ａ）は、本発明の実施の形態２に係るゴミ収納具の構成を示す正面図であり、（ｂ）は、本発明の実施の形態２に係るゴミ収納具の構成を示す側面図である。
【図３】（ａ）は、本発明の実施の形態３に係るゴミ収納具の開いた状態を示す図であり、（ｂ）は、本発明の実施の形態３に係るゴミ収納具の閉じた状態を示す図である。
【図４】（ａ）は、本発明の実施の形態４に係るゴミ収納具の開いた状態を示す図であり、（ｂ）は、本発明の実施の形態４に係るゴミ収納具の閉じた状態を示す図である。
【図５】本発明の実施の形態４に係るゴミ収納具を示す側面図である。
【符号の説明】
【００４３】
１〜４  ゴミ収納具
１１，３１，４２，４３  第１枠体
１１ａ  端部
１１ｂ，１１ｃ  可動部
１１ｄ，１２ｅ，３１ａ，３２ａ  連接部
１２，３２  第２枠体
１２ａ  角部
１２ｂ  回動軸部
１２ｃ，１２ｄ  固定部
１３  ネット
１４  取っ手
１５  取付具
１８  係合部材
１９  広告
２０  ゴミ袋
２１  支持部材
２２  弾性部材
４１  蓋部材
【図１】
2006219247.tif 000003
【図２】
2006219247.tif 000004
【図３】
2006219247.tif 000005
【図４】
2006219247.tif 000006
【図５】
2006219247.tif 000007